(57)【要約】      （修正有）【課題】衣服の袖に腕を通す際に、既に身に付けている着衣の袖の捲れ上がりを防止する袖捲れ上がり防止具であって、着脱容易な防止具を提供する。【解決手段】着衣の袖口を着脱自在に挟持する挟持具１２と、着衣者の手の指と着脱自在に係合して前記挟持具を繋止する繋止部材７０とを備える構成とする。これにより、既に身に付けている着衣の袖口及び手の指への着脱を容易に行うことが可能で、着衣の袖口の捲れ上がりを確実に防止可能となる。【選択図】図１
0003142596.tif 000002
【実用新案登録請求の範囲】
【請求項１】
衣服の袖に腕を通す際に、既に身に付けた着衣の袖の捲れ上がりを防止する袖捲れ上がり防止具であって、
前記着衣の袖口を着脱自在に挟持する挟持具と、
着衣者の手の指と着脱自在に係合して前記挟持具を繋止する繋止部とを備えることを特徴とする袖捲れ上がり防止具。
【請求項２】
前記繋止部は、前記手の指に係合可能なループ状に形成された弾性帯体又は弾性紐体を備えることを特徴とする請求項１に記載の袖捲れ上がり防止具。
【請求項３】
前記挟持具は、
座部と、
前記座部との間に前記着衣の袖口を挟持する押さえ部と、
前記着衣の袖口を挟持した状態の前記押さえ部をロックするロック部とを備えることを特徴とする請求項１又は２に記載の袖捲れ上がり防止具。
【請求項４】
前記座部は、平板状の座板を含み、
前記押さえ部は、
その後端部が前記座部の後端部に係止され、前端側が常時上方に付勢された状態で前記座部の上側に配置された弾性板部材を含み、
前記ロック部は、
前記座部に設けられた軸孔に回動自在に枢支されて前方向に回動しつつ前記弾性板部材を押し下げるロックカム部と、
前記ロックカム部を回動させる板であって、前記ロック時に前記座板に略重ね合わせ状態になる操作板とを備え、
幼児等の注意を喚起する図柄を有する注意喚起シートを前記操作板の上面に着脱可能に貼設したことを特徴とする請求項３に記載の袖捲れ上がり防止具。
【請求項５】
前記弾性板部材の前端部分から下方に向かって突設された突設片と、前記座板に穿設されて前記突設片を係合させる係合孔とを備えることを特徴とする請求項４に記載の袖捲れ上がり防止具。
【考案の詳細な説明】
【技術分野】
【０００１】
本考案は、衣服の袖に腕を通す際に、既に身に付けている着衣の袖が捲れ上がらないように着衣の袖口の位置ずれを規制する袖捲れ上がり防止具に関するものである。
【背景技術】
【０００２】
従来から、特に冬の時期には重ね着をすることが多い。その際、衣服の袖に腕を通す時に、既に身に付けている着衣（以下「着衣」という。）の袖口が例えば肘の位置まで捲れあがることにより腕の肘から先の部分が寒くて不快感を覚えたり、また、捲れあがった袖によって腕が圧迫されて不快感を覚えたりする。特に、セータ等のように腕周りがタイトに縫製された衣服を着用する場合に、着衣の袖が捲れ上がりやすいため往々にして不快感が顕著となる。
【０００３】
そのため、袖が捲れ上がらないように例えば着衣の袖口を手で把持しつつ衣服の袖に腕を通すこともできるが、幼児の場合は自ら着衣の袖口を手で把持しつつ衣服の袖に腕を通すことが困難であるという問題があった。また、握力が低下した高齢者或いは手に障害がある人の場合は、所定の力で袖口を把持し続ける事が困難であるという問題があった。
【０００４】
そこで、母親や介護者等が袖の内側に手を差し入れて捲れ上がった着衣の袖口を手首の近傍まで引き下げる手助けを行うこともあるが、その際、例えば手助けする人の手が冷たくて不快感が高まったり、幼児の場合には不快感のために泣き出したりするおそれがあるという問題があった。
【０００５】
このような重ね着の際に生じやすい着衣の袖口の捲り上がりを防止するために様々な提案がなされている（例えば特許文献１参照）。
特許文献１によれば、手や足に巻き付けることができる長さのゴム紐をビーズに通してループ状とし、ビーズの位置を移動させることによりループの径を調節可能な止めバンドである。
【特許文献１】実公報３０５５５０号公報
【考案の開示】
【考案が解決しようとする課題】
【０００６】
しかし、特許文献１によれば、止めバンドが着衣の袖を例えば手首周りに緊縛する緊縛力により着衣の袖口の移動が規制されるだけなので、袖口の移動を規制する力が不足して袖の捲り上がりを防止する効果が不十分になるおそれがあるという問題があった。
【０００７】
また、特許文献１によれば、例えばセータのように腕周りがタイトに形成された衣服を重ね着する場合に、止めバンドのループ径を小さくして緊縛力を調節する必要がある等、止めバンドの着用が煩雑になるおそれがあるという問題があった。また、手首の緊縛感のため不快感を生じさせるおそれがあるという問題があった。さらに、止めバンドを外す際には、例えば上着の袖の中に手を差し込んで止めバンドを手先まで引っ張り出しながら取り外す必要があり、取り外しが煩雑になるおそれがあるという問題があった。
【０００８】
そこで、本考案は、上記従来の問題に鑑みてなされたものであり、その目的は、着衣の袖口及び着衣者の手の指への着脱を容易に行うことが可能で、重ね着をする際に着衣の袖口の捲れ上がりを確実に防止可能な袖捲れ上がり防止具を提供することにある。
【課題を解決するための手段】
【０００９】
請求項１の考案は、衣服の袖に腕を通す際に、既に身に付けた着衣の袖の捲れ上がりを防止する袖捲れ上がり防止具であって、前記着衣の袖口を着脱自在に挟持する挟持具と、着衣者の手の指と着脱自在に係合して前記挟持具を繋止する繋止部とを備える、袖捲れ上がり防止具である。
【００１０】
請求項２の考案は、請求項１に記載の袖捲れ上がり防止具において、前記繋止部は、前記手の指に係合可能なループ状に形成された弾性帯体又は弾性紐体を備えることを特徴とする。
【００１１】
請求項３の考案は、請求項１又は２に記載の袖捲れ上がり防止具において、前記挟持具は、座部と、前記座部との間に前記着衣の袖口を挟持する押さえ部と、前記着衣の袖口を挟持した状態の前記押さえ部をロックするロック部とを備えることを特徴とする。
【００１２】
請求項４の考案は、請求項３に記載の袖捲れ上がり防止具において、前記座部は、平板状の座板を含み、前記押さえ部は、その後端部が前記座部の後端部に係止され、前端側が常時上方に付勢された状態で前記座部の上側に配置された弾性板部材を含み、前記ロック部は、前記座部に設けられた軸孔に回動自在に枢支されて前方向に回動しつつ前記弾性板部材を押し下げるロックカム部と、前記ロックカム部を回動させる板であって、前記ロック時に前記座板に略重ね合わせ状態になる操作板とを備え、幼児等の注意を喚起する図柄を有する注意喚起シートを前記操作板の上面に着脱可能に貼設したことを特徴とする。
【００１３】
請求項５の考案は、請求項４に記載の袖捲れ上がり防止具において、前記弾性板部材の前端部分から下方に向かって突設された突設片と、前記座板に穿設されて前記突設片を係合させる係合孔とを備えることを特徴とする。
【考案の効果】
【００１４】
請求項１に係る考案によれば、衣服の袖に腕を通す際に、既に身に付けた着衣の袖の捲れ上がりを防止する袖捲れ上がり防止具であって、前記着衣の袖口を着脱自在に挟持する挟持具と、着衣者の手の指と着脱自在に係合して前記挟持具を繋止する繋止部とを備える構成であるから、挟持具で着衣の袖口を着脱自在に挟持して繋止部を着衣者の手の指に係合させることで着衣の袖口及び着衣者の手の指への着脱を容易に行うことができる。そして、上着に腕を通すことで、着衣の袖口が袖捲れ上がり防止具を介して手の指に繋止されるので袖を捲り上げる力が働いても着衣の袖口が位置ずれせず、したがって着衣の袖の捲れ上がりを確実に防止できる。また腕を通し終わったら着衣の袖口から容易に挟持具を取り外すことができるとともに、手の指から繋止具を容易に取り外すことができる。
このように、本考案によれば、例えば、母親が幼児を抱きかかえながらでも幼児が着ている衣服の袖口を挟持具で挟持し、幼児の手の指に繋止部を係合させることができ、重ね着をさせる際に着衣の袖口の捲れ上がりを確実に防止可能な袖捲れ上がり防止具を提供できる。また、例えば握力が低下した高齢者や手に障害がある人にとっても着脱が容易で、重ね着をする際に着衣の袖口の捲れ上がりを確実に防止可能な袖捲れ上がり防止具を提供できる。
【００１５】
また、請求項２に係る考案によれば、前記繋止部材は、前記手の指に係合可能なループ状に形成された弾性紐体又は弾性帯体を備える構成であるから、ループ状に形成された例えば弾性帯体を引き伸ばしつつ容易に手の指に係合させることができる。また、繋止部材を弾性紐体又は弾性帯体等の簡単な部材で形成できるので袖捲れ上がり防止具の低コスト化を図ることができる。
【００１６】
また、請求項３に係る考案によれば、前記挟持具は、座部と、前記座部との間に前記着衣の袖口を挟持する押さえ部と、前記着衣の袖口を挟持した状態の前記押さえ部をロックするロック部とを備える構成であるから、袖捲れ上がり防止具を例えばクリップ等の簡単な部品で構成可能となり、着衣の袖口を容易に挟持することができるとともに袖捲れ上がり防止具の低コスト化を図ることができる。
【００１７】
また、請求項４に係る考案によれば、前記座部は、平板状の座板を含み、前記押さえ部は、その後端部が前記座部の後端部に係止され、前端側が常時上方に付勢された状態で前記座部の上側に配置された弾性板部材を含み、前記ロック部は、前記座部に設けられた軸孔に回動自在に枢支されて前方向に回動しつつ前記弾性板部材を押し下げるロックカム部と、前記ロックカム部を回動させる板であって、前記ロック時に前記座板に略重ね合わせ状態になる操作板とを備え、幼児等の注意を喚起する図柄を有する注意喚起シートを前記操作板の上面に着脱可能に貼設した構成であるから、袖捲れ上がり防止具を簡単な部材で形成可能になるとともに、例えば幼児等が重ね着の際にむずかる場合に、幼児等の注意を注意喚起シートに向かわせてあやしながら重ね着をさせる等、幼児等の重ね着の補助を円滑に行うことができる。
【００１８】
また、請求項５に係る考案によれば、前記弾性板部材の前端部分から下方に向かって突設された突設片と、前記座板に穿設されて前記突設片を係合させる係合孔とを備える構成であるから、例えば突設片で着衣の袖口の布を係合孔に押し込みながら着衣の袖口を挟持可能となるので、より確実に着衣の袖口を挟持できる。したがって、上着に袖を通す際に着衣の袖を捲り上げる力が働いても着衣の袖口の移動をより確実に規制することができる。
【考案を実施するための最良の形態】
【００１９】
以下、本考案の実施形態について説明する。
本実施形態の袖捲れ上がり防止具は、衣服の袖に腕を通す際に、例えば下着等の着衣の袖の捲れ上がりを防止する袖捲れ上がり防止具である。
本実施形態の袖捲れ上がり防止具は、前記着衣の袖口を着脱自在に挟持する挟持具と、着衣者の手の指と着脱自在に係合して前記挟持具を繋止する繋止部材とを備え、着衣の袖口及び着衣者の手の指への着脱を容易に行うことが可能で、取り付け後は着衣の上から重ね着をしても袖口の捲れ上がりを確実に防止することができるものであり、特に、幼児や手に障害を有する人或いは握力が低下した高齢者等が重ね着をする際に有効なものである。
【００２０】
以下、本考案に好適な実施形態の例について、図面を用いて説明する。
まず、本考案の第1実施形態に係る袖捲れ上がり防止具について図１を用いて説明する。
図１（ａ）は、本実施形態の袖捲れ上がり防止具１０の概観を示す斜視図、図１（ｂ）は、同袖捲れ上がり防止具１０の一部を分解した分解斜視説明図、図１（ｃ）は、同袖捲れ上がり防止具１０のロック状態を説明する概観斜視図である。
本実施形態の袖捲れ上がり防止具１０は、図１（ａ）に示すように、挟持具１２と、繋止部７０とを備える。
【００２１】
本実施形態の挟持具１２は、図１（ａ）に示すように、例えばクリップよりなり、座部１４と、押さえ部１６と、ロック部１８とを備える。
前記座部１４は、図１（ｂ）に示すように、着衣の袖口内に挿入できる程度の大きさで平板状の座板２０を含む。
さらに、座部１４は、図１（ｂ）に示すように、座板２０の両側の後端寄りにそれぞれ設けられて上方に突出する突出部２２と、突出部２２にそれぞれ穿設された軸孔２４と、突出部２２の背後にそれぞれ設けられ、前記突出部２２より低く座板２０から立設する立設部２６と、座板２０の後端に立設する係止板２８と、係止板２８に穿設された係止孔３０とを備える。
本実施形態の座部１４は、金属製で形成されるが、合成樹脂製で形成されていてもよい。
【００２２】
次に、押さえ部１６は、図１（ｂ）に示すように、座板２０と略同じ大きさで弾性を有する金属製薄板よりなる弾性板部材３２を含む。より詳しくは、前記弾性板部材３２は、図１（ｂ）に示すように、その後端から後方に向かって突出する突出片３４（図３参照）と、弾性板部材３２の後端近傍の両側それぞれに設けられ、弾性板部材３２の幅方向に突出する耳部３６（図３参照）とを備える。
【００２３】
そして、弾性板部材３２は、図１（ｂ）に示すように、突出片３４を上述した係止孔３０に係合させ、耳部３６を上述した立設部２６の上端部で支持された状態で配置される。ここで、係止孔３０の高さ位置は、立設部２６の上端より低く形成されている。したがって、弾性板部材３２は、その後端部が座部１４の後端部に係止され、前端側が常時上方に付勢された状態で座部１４の上側に配置される。
【００２４】
なお、本実施形態の押さえ部１６は、図１（ｂ）に示すように、弾性板部材３２の前端から下方に向かって突出するように折曲形成された板片を突設片５０として備え、前記突設片５０の先端と座板２０との間に着衣の袖口を挟持する（図２（ｂ）参照）。
また、突設片５０は、本実施形態の板片に限らず、例えばドーナツ状片、円柱状片からなり、これらを弾性板部材３２の前端部分の裏面に突設させてもよい。さらに、これらのドーナツ状片、円柱状片の先端部分に複数の突起を設けてもよい。このように形成することで、突設片５０と座板２０との間に袖口を挟持した状態で袖を捲り上げる力が働いても当該袖口を確実に繋止でき、袖口の捲れ上がりを確実に防止できるからである。
【００２５】
次に、ロック部１８は、図１（ｂ）に示すように、操作板３８と、ロックカム部４０とを備える。
操作板３８は、図１（ｂ）に示すように、座板２０と略同形状で同じ大きさで略平面状の金属製板で形成される。
次に、ロックカム部４０は、図１（ｂ）に示すように、当該操作板３８の後端から前記操作板３８に略直角方向に折曲形成される折曲片４４と、折曲片４４の両端に設けられ幅方向にそれぞれ突出する軸部４２とよりなる。このように、本実施形態のロック部１８は、操作板３８とロックカム部４０とで断面視略L字状に一体形成される。
そして、ロックカム部４０は、図１（ａ）及び図１（ｂ）に示すように、座部１４（より詳しくは突出部２２）に設けられた軸孔２４に軸部４２を回動自在に枢支された状態で配置される。
【００２６】
したがって、操作板３８を介してロックカム部４０を前方向に回わすことにより、折曲片４４の先端４６が弾性板部材３２の耳部３６のやや前方の上面部分４８に当接しつつ、弾性板部材３２の上方に付勢された力に抗して弾性板部材３２を座板２０側に押し下げてゆく。そして、操作板３８が座板２０に略重ね合わせ状態となる所定の角度分前方向に回動したところ（図１（ｃ）参照）で弾性板部材３２の弾性によってロックがかかる、つまりロック時となる構成となっている。
【００２７】
このように、ロックカム部４０が弾性板部材３２を押し下げることにより弾性板部材３２の前端部分に設けられた突設片５０と座板２０との間に袖口を挟持するのである。
また、操作板３８は、ロックカム部４０を回動させる板であって、ロック時に座板２０に略重ね合わせ状態になる構成となっている。
【００２８】
さらに、操作板３８は、図１（ｃ）に示すように、その上面に略平坦な面からなるシート貼付部５２を形成し、シート貼付部５２に幼児等の注意を喚起する図柄を有する注意喚起シート５４を貼付可能としている。注意喚起シート５４の裏面は例えば粘着材が塗布されており、当該粘着材を介してシート貼付部５２に着脱可能に貼設される構成となっている。したがって、必要に応じて注意喚起シート５４を別の注意喚起シートに貼りかえることができる。
本実施形態では、図１（ｃ）に示すように、幼児等の注意を喚起する図柄として狸の頭部に木の葉を配置した図柄を有する注意喚起シート５４を貼設した様子を示している。注意喚起シートの図柄は、本実施径形態の図柄に限らず、幼児等の注意を喚起可能な任意の図柄とすることができる。
【００２９】
以上のように、本実施形態の挟持具１２は、座部１４と、座部１４との間に着衣の袖口を挟持する押さえ部１６と、着衣の袖口を挟持した状態の押さえ部１６をロックするロック部１８とを備える構成となっているのである。
【００３０】
挟持具は、前記挟持具１２に限るものではなく、着衣の袖口を着脱自在に挟持可能で、一旦袖口を挟持すれば袖を捲り上げる力が働いても袖口の挟持状態を維持できる挟持具であればよい。
【００３１】
次に、繋止部７０は、図１（ｂ）に示すように、所定の幅で手首から手の指の付け根までの長さの略２倍の長さを有する天然ゴム製或いは合成ゴム製の弾性帯（７１）の両端を接続させてループ状に形成させてなる。そして、繋止部７０は、図１（ｂ）に示すように、挟持具１２の後端部に突設された略コ字状の連結部７２を介して挟持具１２と連結する。このように、繋止部７０は、着衣者の手の指に係合可能なループ状に形成された弾性帯体７１を備える構成となっている。
したがって、ループ状の弾性帯体７１を着衣者の手の指に着脱自在に係合させることができ、係合後は挟持具１２を手の指に繋止できる。
【００３２】
繋止部は、本実施形態のように、全体がループ状に形成されるものに限らず、着衣者の手の指に係合可能なループ状に形成された弾性帯体を直線状の帯の先端部に連結して形成されていてもよい。
また、繋止部は、天然ゴム製或いは合成ゴム製の紐よりなり、着衣者の手の指に係合可能なループ状に形成された弾性紐体を備える構成であってもよい。
【００３３】
以上説明したように、本実施形態の袖捲れ上がり防止具１０は、着衣の袖口を着脱自在に挟持する挟持具１２と、着衣者の手の指と着脱自在に係合して挟持具１２を繋止する繋止部７０とを備える構成となっているのである。
【００３４】
次に、本実施形態の袖捲れ上がり防止具１０の使用例について図２〜図４を用いて説明する。図２〜図４は、本実施形態の袖捲れ上がり防止具１０の使用例を示す説明図である。
【００３５】
まず、図２（ａ）に示すように、操作板３８を後側に倒すと押さえ部１６の前端が上方に上がり、突設片５０と座板２０との間が離隔するのでその間に着衣の袖口を挿入させる。
次に、図２（ｂ）に示すように、操作板３８を前側に倒して挟持具１２で袖口を挟持した状態でロックする。
次に、図３に示すように、ループ状の弾性帯体７１を着衣者の例えば中指に係合させる。
次に、図３に示すように、腕を上着の袖に通す。
その際、着衣の袖を捲り上げる力が働いても、着衣の袖口が袖捲れ上がり防止具１０を介して手の指に繋止されることによって、着衣の袖の捲れ上がりが防止される。
【００３６】
また、図４に示すように、腕を上着の袖に通した直後（図４（ａ）参照）は上着の袖で隠されて視認できなかった注意喚起シート５４が、更に手を通してゆくことにより徐々に視認できる（図４（ｂ）参照）ので、例えば幼児等が重ね着の際にむずかる場合に、幼児等の注意を注意喚起シート５４に向かわせてあやしながら重ね着をさせる等、幼児等の重ね着の補助を円滑に行うことができる。
【００３７】
次に、本考案の第２実施形態について、図５を用いて説明する。図５は、本考案の本実施形態に係る袖捲れ上がり防止具８０を説明する概略斜視図である。
第２実施形態と第１実施形態との相違点は、座板２０に係合孔７４を備える点である。
本実施形態の係合孔７４は、上述した突設片５０を緩挿させる程度の大きさで座板２０を貫通する貫通孔よりなり、座板２０の前端近傍に穿設される。そして、上述したように弾性板部材３２の先端部分がロック部１８によって所定の高さまで下降すると突設片５０が係合孔７４に係合する。なお、図５において符号８２は、本実施形態における座部である。
【００３８】
したがって、図２（ｂ）に示すように、着衣の袖口を挟持具で挟持する際に、例えば突設片５０で着衣袖口の布を係合孔７４に押し込みながら袖口をより確実に挟持可能となる。よって、上着に袖を通す際に着衣の袖を捲り上げる力が働いても着衣の袖口の移動がより確実に規制される。特に、綿製や化学繊維製の下着のように薄手で柔らかい着衣の場合に有効である。
【００３９】
このように、本実施形態の袖捲れ上がり防止具８０は、弾性板部材３２の前端部分から下方に向かって突設された突設片５０と、座板２０に穿設されて突設片５０を係合させる係合孔７４とを備える構成となっているのである。
【００４０】
これまで述べてきたように、本実施形態の袖捲れ上がり防止具１０，８０によれば、着衣の袖口及び着衣者の手の指への着脱を容易に行うことが可能で、重ね着をする際に着衣の袖口の捲れ上がりを確実に防止可能な袖捲れ上がり防止具を提供できる。
【００４１】
以上、本考案の実施形態のうちのいくつかを図面に基づいて詳細に説明したが、これらはあくまでも例示であり、当業者の知識に基づいて種々の変形、改良を施した他の形態で本考案を実施することが可能である。
【図面の簡単な説明】
【００４２】
【図１】本考案の第１実施形態の袖捲れ上がり防止具を説明する斜視図である。
【図２】本考案の第１実施形態の袖捲れ上がり防止具の使用例の説明図である。
【図３】本考案の第１実施形態の袖捲れ上がり防止具の使用例の説明図である。
【図４】本考案の第１実施形態の袖捲れ上がり防止具の使用例の説明図である。
【図５】本考案の第２実施形態の袖捲れ上がり防止具を説明する斜視図である。
【符号の説明】
【００４３】
１０，８０  袖捲れ上がり防止具
１２        挟持具  
１４，８２  座部  
１６        押さえ部
１８        ロック部
２０        座板
３２        弾性板部材
３８        操作板
４０        ロックカム部
５０        突設片
５４        注意喚起シート
７０        繋止部材
７１        弾性帯体
７４        係合孔
【図１】
0003142596.tif 000003
【図２】
0003142596.tif 000004
【図３】
0003142596.tif 000005
【図４】
0003142596.tif 000006
【図５】
0003142596.tif 000007